【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
ｎ≧２としてｎ個のローカルエネルギーネットワーク（ＤＥＮi、１≦ｉ≦ｎ）へのエネルギー供給を管理するためのシステムであって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）を備え、前記システムは、各ネットワーク（ＤＥＮi）に接続された切替え装置（ＣＯＭDENi）と、前記切替え装置（ＣＯＭDENi）を介して前記ネットワーク（ＤＥＮi）に接続されたエネルギー貯蔵手段（ＰＳＤDENi）と、前記ネットワークに関連する前記切替え装置（ＣＯＭDENi）を介して前記ｎ個のネットワーク（ＤＥＮi）にエネルギーを供給するためのステーションであって、供給システムからエネルギーを受け取る、ステーションと、を備え、前記ステーションは、各切替え装置（ＣＯＭDENi）に対して、
−  前記エネルギー貯蔵手段（ＰＳＤDENi）が前記ネットワーク（ＤＥＮi）にエネルギーを供給する第１のモード、または
−  前記ステーションが前記ネットワーク（ＤＥＮi）および前記エネルギー貯蔵手段（ＰＳＤDENi）にエネルギーを同時に供給する第２のモード
を決定し、割り振るように構成され、
前記ステーションは、１≦ｋ≦ＫとしてＫ個の連続する期間Ｔkを考慮し、各切替え装置（ＣＯＭDENi）は、各期間Ｔkの終わりに前記エネルギー貯蔵手段（ＰＳＤDENi）に蓄えられたエネルギーの第１のレベル（ＣＳＬDENi,Tk）を前記ステーションに送信するための手段を備え、前記ステーションは、前記期間Ｔkの終わりに、前記第１のレベル（ＣＳＬDENi,Tk）にしたがって、期間Ｔk+1のために前記切替え装置（ＣＯＭDENi）に前記第２のモードを割り振る優先順位を定義する緊急性インデックス（ＥＩDENi）を決定する、前記システム。
【請求項２】
前記ステーションは、前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするための手段を備える、請求項１に記載のシステム。
【請求項３】
前記期間Ｔkの終わりに、前記ステーションは、１≦ｊ≦ｎとしてローカルネットワーク（ＨＤＥＮj）の順序付きリストを構築するように緊急性インデックス（ＥＩDENi）の昇順に前記ローカルネットワーク（ＤＥＮi）をランク付けし、前記順序付きリストの要素（ＨＤＥＮj）は、１≦ｊ≦ｎ−１に対してＥＩHDENj≦ＥＩHDENj+1であり、１≦ｉ≦ｎとしてＥＩHDENN＝Ｍａｘ（ＥＩDENi）であるような緊急性インデックス（ＥＩHDENj）を有する、請求項１又は２に記載のシステム。
【請求項４】
前記ステーションは、前記期間Ｔkの間、エネルギーのレベルを供給するように制限されており、前記ステーションは、前記期間Ｔkの終わりに、前記ステーションが前記期間Ｔk+1の間に前記順序付きリストの最初のｊ＊個の要素（ＨＤＥＮj）に前記第２のモードを割り振った場合に前記ステーションが供給することになる累積のエネルギーの第１のレベルと、前記ステーションが前記期間Ｔk+1の間に前記順序付きリストの最初のｊ＊＋１個の要素（ＨＤＥＮj）に前記第２のモードを割り振るとした場合に前記ステーションが供給することになる累積のエネルギーの第２のレベルとの間にエネルギーの前記レベルが含まれるように臨界インデックス値ｊ＊を決定し、前記ステーションは、前記期間Ｔk+1のために、前記順序付きリストの最初のｊ＊個の要素（ＨＤＥＮj）の前記切替え装置（ＣＯＭHDENj）に前記第２のモードを割り振り、前記順序付きリストの最後のｎ−ｊ＊個の要素（ＨＤＥＮj）の前記切替え装置（ＣＯＭHDENj）に前記第１のモードを割り振る、請求項３に記載のシステム。
【請求項５】
各切替え装置（ＣＯＭDENi）は、前記期間Ｔkの終わりに、前記期間Ｔkの間に前記クライアントデバイス（ＤＣＬDENi）によって消費されたエネルギーの第２のレベル（ＣＰＬDENi,Tk）を前記ステーションに送信し、前記ステーションは、前記第１のレベル（ＣＳＬDENi,Tk）および前記第２のレベル（ＣＰＬDENi,Tk）を記憶するための手段を備え、前記期間Ｔkの終わりに、前の期間の間に蓄えられたエネルギーの第２のレベル（ＣＰＬDENi,Tk）から、前記期間Ｔk+1の間の前記クライアントデバイス（ＤＣＬDENi）のエネルギー消費（＜ＰＲＬDENi,Tk+1＞）を推定し、前記エネルギー消費（＜ＰＲＬDENi,Tk+1＞）から前記臨界インデックス値ｊ＊を決定する、請求項４に記載のシステム。
【請求項６】
前記ステーションは、前記期間Ｔkの間、エネルギーのレベルを供給するように制限されており、前記ステーションは、
−  前記期間Ｔk+1の始めに、前記ネットワーク（ＤＥＮi）のすべての前記切替え装置に前記第１のモードを割り振るための手段と、
−  前記ネットワーク（ＤＥＮi）の前記切替え装置に、対応するエネルギー貯蔵手段に蓄えられたエネルギーのレベルが最大になるまで前記第２のモードを割り振るための手段であって、前記割り振りは、前記順序リスト（ＨＤＥＮj）の順番で実行される、手段と
を備える、請求項３に記載のシステム。
【請求項７】
前記緊急性インデックス（ＥＩDENi）は、エネルギーの前記第１のレベル（ＣＳＬDENi,Tk）を代表する値を有すること、または前記緊急性インデックス（ＥＩDENi）は、マルコフ変調需要過程を仮定することによって決定される、前記期間Ｔk+1の間に前記エネルギー貯蔵手段（ＰＳＤDENi）のエネルギーの不足が起こる確率である、請求項３から６のいずれか一項に記載のシステム。
【請求項８】
前記供給システムは、事業者である、請求項１から７のいずれか一項に記載のシステム。
【請求項９】
ｎ≧２としてｎ個のローカルエネルギーネットワーク（ＤＥＮi、１≦ｉ≦ｎ）へのエネルギー供給を管理するためのステーションであって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）と、各ネットワーク（ＤＥＮi）に接続された切替え装置（ＣＯＭDENi）と、前記切替え装置（ＣＯＭDENi）を介して前記ネットワーク（ＤＥＮi）に接続されたエネルギー貯蔵手段（ＰＳＤDENi）と、を備え、前記ステーションは、供給システムからエネルギーを受け取り、前記ネットワークに関連する切替え装置（ＣＯＭDENi）を介して前記ｎ個のネットワーク（ＤＥＮi）にエネルギーを供給することができ、前記ステーションは、各切替え装置（ＣＯＭDENi）に対して、
−  前記エネルギー貯蔵手段（ＰＳＤDENi）が前記ネットワーク（ＤＥＮi）にエネルギーを供給する第１のモード、または
−  前記ステーションが前記ネットワーク（ＤＥＮi）および前記エネルギー貯蔵手段（ＰＳＤDENi）にエネルギーを同時に供給する第２のモード
を決定し、割り振るように構成され、
前記ステーションは、１≦ｋ≦ＫとしてＫ個の連続する期間Ｔkを考慮し、
−  前記期間Ｔkの終わりに前記エネルギー貯蔵手段（ＰＳＤDENi）に蓄えられたエネルギーの第１のレベル（ＣＳＬDENi,Tk）を前記期間Ｔkの終わりに受信するように構成された手段（Ｍ１）と、
−  前記第１のレベル（ＣＳＬDENi,Tk）を記憶するように構成された手段（Ｍ２）と、
−  各切替え装置（ＣＯＭDENi）に対して、
−  前記第１のモード、または
−  前記第２のモード
を決定し、割り振るように構成された手段（Ｍ３）と
を備える、前記ステーション。
【請求項１０】
前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするための手段を備える、請求項９に記載のステーション。
【請求項１１】
前記手段（Ｍ１）は、前記期間Ｔkの終わりに、前記期間Ｔkの間に前記クライアントデバイス（ＤＣＬDENi）によって消費されたエネルギーの第２のレベル（ＣＰＬDENi,Tk）を受信するようにさらに構成され、前記手段（Ｍ２）は、前記第２のレベル（ＣＰＬDENi,Tk）を記憶するようにさらに構成される、請求項９に記載のステーション。
【請求項１２】
前記期間Ｔkの間、エネルギーのレベルを供給するように制限されており、前記手段（Ｍ３）は、
−  前記期間Ｔkの終わりに、期間Ｔk+1のために前記切替え装置（ＣＯＭDENi）に前記第２のモードを割り振る優先順位を定義する緊急性インデックス（ＥＩDENi）を決定するように構成された手段（Ｍ３．１）であって、前記緊急性インデックス（ＥＩDENi）は、前記ステーションに記憶された前記ネットワーク（ＤＥＮi）に関連する前記第１のレベル（ＣＳＬDEN1,Tk、．．．、ＣＳＬDENi,Tk、．．．、ＣＳＬDENn,Tk）から決定される、手段（Ｍ３．１）と、
−  前記期間Ｔkの終わりに、緊急性インデックス（ＥＩDENi）の昇順に前記ローカルネットワーク（ＤＥＮi）をランク付けし、１≦ｊ≦ｎとして前記ローカルネットワーク（ＨＤＥＮj）の順序付きリストを構築するように構成された手段（Ｍ３．２）であって、前記順序付きリストの要素（ＨＤＥＮj）は、１≦ｊ≦ｎ−１に対してＥＩHDENj≦ＥＩHDENj+1であり、ＥＩHDENN＝Ｍａｘ（ＥＩDENi）1≦i≦nであるような緊急性インデックス（ＥＩHDENj）を有する、手段（Ｍ３．２）と、
−  前記期間Ｔkの終わりに、前記期間Ｔk+1の前の期間の間に蓄えられたエネルギーの第１のレベル（ＣＰＬDENi,Tk）から、前記期間Ｔk+1の間の前記クライアントデバイス（ＤＣＬDENi）のエネルギー消費（＜ＰＲＬDENi,Tk+1＞）を推定するように構成された手段（Ｍ３．３）と
を備える、請求項９から１１のいずれか一項に記載のステーション。
【請求項１３】
前記手段（Ｍ３）は、
−  前記期間Ｔkの終わりに、前記期間Ｔk+1の間の前記クライアントデバイス（ＤＣＬDENi）のエネルギー消費（＜ＰＲＬDENi,Tk+1＞）の推定値から、前記ステーションが前記期間Ｔk+1の間に前記順序付きリスト（ＨＤＥＮj）の最初のｊ＊個のローカルネットワークに前記第２のモードを割り振るとした場合に前記ステーションが供給することになる累積のエネルギーの第１のレベルと、前記ステーションが前記期間Ｔk+1の間に前記順序付きリスト（ＨＤＥＮj）の最初のｊ＊＋１個のローカルネットワークに前記第２のモードを割り振るとした場合に前記ステーションが供給することになる累積のエネルギーの第２のレベルとの間にエネルギーの前記レベルが含まれるように臨界インデックス値ｊ＊を決定するように構成された手段（Ｍ３．４）と、
−  前記期間Ｔk+1の間、前記順序付きリスト（ＨＤＥＮj）の最初のｊ＊個のローカルネットワークの前記切替え装置に前記第２のモードを割り振り、前記順序付きリスト（ＨＤＥＮj）に現れる最後のｎ−ｊ＊個のローカルネットワークの前記切替え装置に前記第１のモードを割り振るように構成された手段（Ｍ３．５）と
をさらに備える、請求項１２に記載のステーション。
【請求項１４】
前記手段（Ｍ３）は、前記期間Ｔk+1の間、前記順序付きリスト（ＨＤＥＮj）の前記ローカルネットワークのすべての前記切替え装置に前記第１のモードを割り振るように構成された手段（Ｍ３．６）をさらに備え、前記手段（Ｍ３．６）は、前記順序付きリスト（ＨＤＥＮj）の順番で選択された第１のローカルネットワークの前記切替え装置に、前記ローカルネットワークの前記エネルギー貯蔵手段に蓄えられたエネルギーのレベルがエネルギーのレベルの閾値（ＰＬＬDENi）に達するまで一時的に前記第２のモードを割り振るようにさらに構成される、請求項１３に記載のステーション。
【請求項１５】
ｎ≧２としてｎ個のローカルエネルギーネットワーク（ＤＥＮi、１≦ｉ≦ｎ）へのエネルギー供給を管理するための方法であって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）を含み、切替え装置（ＣＯＭDENi）が各ネットワーク（ＤＥＮi）に接続され、エネルギー貯蔵手段（ＰＳＤDENi）が前記切替え装置（ＣＯＭDENi）を介して前記ネットワーク（ＤＥＮi）に接続され、ステーションが、前記ネットワークに関連する切替え装置（ＣＯＭDENi）を介して前記ｎ個のネットワーク（ＤＥＮi）にエネルギーを供給することができ、供給システムから前記エネルギーを受け取り、前記方法は、前記ステーションによって実施されるステップであって、各切替え装置（ＣＯＭDENi）に対して、
−  前記エネルギー貯蔵手段（ＰＳＤDENi）が前記ネットワーク（ＤＥＮi）にエネルギーを供給する第１のモード、または
−  前記ステーションが前記ネットワーク（ＤＥＮi）および前記エネルギー貯蔵手段（ＰＳＤDENi）にエネルギーを同時に供給する第２のモード
を決定し、割り振るステップを含み、
前記ステーションは、１≦ｋ≦ＫとしてＫ個の連続する期間Ｔkを考慮し、各切替え装置（ＣＯＭDENi）に対して、
−  前記第１のモード、または
−  前記第２のモード
を決定し、期間Ｔk+1の少なくとも一部分の間、割り振るように構成され、
前記方法は、前記ステーションのレベルで、前記期間Ｔkの終わりに、
−  各期間Ｔkの終わりに前記エネルギー貯蔵手段（ＰＳＤDENi）に蓄えられたエネルギーの第１のレベル（ＣＳＬDENi,Tk）をすべてのローカルネットワーク（ＤＥＮi）の前記切替え装置から受信し、記憶するステップと、
−  前記期間Ｔk+1のために前記切替え装置（ＣＯＭDENi）に前記第２のモードを割り振る緊急性の順序を定義する緊急性インデックス（ＥＩDENi）を決定するステップであって、前記緊急性インデックス（ＥＩDENi）は、前記ネットワーク（ＤＥＮi）に関連する前記第１のレベル（ＣＳＬDEN1,Tk、．．．、ＣＳＬDENi,Tk、．．．、ＣＳＬDENn,Tk）から決定される、ステップと、
−  緊急性インデックス（ＥＩDENi）の昇順に前記ローカルネットワーク（ＤＥＮi）をランク付けし、１≦ｊ≦ｎとしてローカルネットワーク（ＨＤＥＮj）の順序付きリストを構成するステップであって、前記順序付きリストの前記ローカルネットワーク（ＨＤＥＮj）は、１≦ｊ≦ｎ−１に対してＥＩHDENj≦ＥＩHDENj+1であり、ＥＩHDENN＝Ｍａｘ（ＥＩDENi）1≦i≦nであるような緊急性インデックス（ＥＩHDENj）を有する、ステップと、
−  前記ローカルネットワーク（ＨＤＥＮj）が前記順序付きリスト内で占めているランクｊにしたがって選択された少なくとも１つの切替え装置に前記期間Ｔk+1のために前記第２のモードを割り振るステップと
を含む、前記方法。
【請求項１６】
前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするステップを含む、請求項１５に記載の方法。
【請求項１７】
−  前記期間Ｔkの間に前記クライアントデバイス（ＤＣＬDENi）によって消費されたエネルギーの第２のレベル（ＣＰＬDENi,Tk）をすべての切替え装置（ＣＯＭDENi）から受信し、前記第２の受信されたレベル（ＣＰＬDENi,Tk）を記憶するステップと、
−  記憶されたエネルギーの前記第１のレベル（ＣＰＬi,Tk）から、前記期間Ｔk+1の間の前記クライアントデバイス（ＤＣＬDENi）のエネルギー消費（＜ＰＲＬi,Tk+1＞）を推定するステップと、
−  前記期間Ｔkの終わりに、前記期間Ｔk+1の間の前記クライアントデバイス（ＤＣＬDENi）のエネルギー消費（＜ＰＲＬi,Tk+1＞）の推定値から、前記ステーションが前記期間Ｔk+1の間に前記順序付きリスト（ＨＤＥＮj）の最初のｊ＊個のローカルネットワークに前記第２のモードを割り振るとした場合に前記ステーションが供給することになる累積のエネルギーの第１のレベルと、前記ステーションが前記期間Ｔk+1の間に前記順序付きリスト（ＨＤＥＮj）の最初のｊ＊＋１個のローカルネットワークに前記第２のモードを割り振るとした場合に前記ステーションが供給することになる累積のエネルギーの第２のレベルとの間にエネルギーのレベルが含まれるように臨界インデックス値ｊ＊を決定するステップと、
−  前記期間Ｔk+1の間、前記順序付きリスト（ＨＤＥＮj）の最初のｊ＊個のローカルネットワークの前記切替え装置に前記第２のモードを割り振り、前記順序付きリスト（ＨＤＥＮj）の最後のｎ−ｊ＊個のローカルネットワークの前記切替え装置に前記第１のモードを割り振るステップと、
をさらに含む、請求項１５又は１６に記載の方法。
【請求項１８】
前記緊急性インデックス（ＥＩDENi）は、エネルギーの前記第１のレベル（ＣＳＬDENi）を代表する値を有すること、または前記緊急性インデックス（ＥＩDENi）は、マルコフ変調需要過程を仮定することによって決定される、前記期間Ｔk+1の間に前記エネルギー貯蔵手段（ＰＳＤDENi）でエネルギーの不足が起こらない確率である、請求項１５から１７のいずれか一項に記載の方法。
【手続補正２】
【補正対象書類名】明細書
【補正対象項目名】０１００
【補正方法】変更
【補正の内容】
【０１００】
本発明が２つの特定の実施形態に関連して説明されたが、本発明は、まったく限定されず、説明された手段のすべての技術的な均等物を、それらが本発明の範囲内に入る場合、それらの組み合わせとともに含むことは明らかである。
＜付記１＞
ｎ≧２および１≦ｉ≦ｎとしてｎ個のローカルエネルギーネットワーク（ＤＥＮi）へのエネルギー供給を管理するためのシステムであって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）を備え、前記システムは、各ネットワーク（ＤＥＮi）に接続された切替え装置（ＣＯＭDENi）と、前記切替え装置（ＣＯＭDENi）を介して前記ネットワーク（ＤＥＮi）に接続されたエネルギー貯蔵手段（ＰＳＤDENi）と、前記ネットワークに関連する前記切替え装置（ＣＯＭDENi）を介して前記ｎ個のネットワーク（ＤＥＮi）にエネルギーを供給するためのステーション（ＳＵＢ）であって、供給システム（ＰＳＯ）からエネルギーを受け取る、ステーション（ＳＵＢ）と、を備え、前記ステーション（ＳＵＢ）は、各切替え装置（ＣＯＭDENi）に対して、
−  前記エネルギー貯蔵手段（ＰＳＤDENi）が前記ネットワーク（ＤＥＮi）にエネルギーを供給する第１のモード（ＤＲＡＩＮ）、または
−  前記ステーション（ＳＵＢ）が前記ネットワーク（ＤＥＮi）および前記エネルギー貯蔵手段（ＰＳＤDENi）にエネルギーを同時に供給する第２のモード（ＣＨＡＲＧＥ）
を決定し、割り振るように構成される、前記システム。
＜付記２＞
前記ステーション（ＳＵＢ）は、前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするための手段を備える、付記１に記載のシステム。
＜付記３＞
前記ステーション（ＳＵＢ）は、１≦ｋ≦ＫとしてＫ個の連続する期間Ｔkを考慮し、各切替え装置（ＣＯＭDENi）は、各期間Ｔkの終わりに前記エネルギー貯蔵手段（ＰＳＤDENi）に蓄えられたエネルギーの第１のレベル（ＣＳＬDENi,Tk）を前記ステーション（ＳＵＢ）に送信するための手段を備え、前記ステーション（ＳＵＢ）は、前記期間Ｔkの終わりに、前記第１のレベル（ＣＳＬDENi,Tk）にしたがって、期間Ｔk+1のために前記切替え装置（ＣＯＭDENi）に前記第２のモード（ＣＨＡＲＧＥ）を割り振る優先順位を定義する緊急性インデックス（ＥＩDENi）を決定する、付記１または２に記載のシステム。
＜付記４＞
前記期間Ｔkの終わりに、前記ステーション（ＳＵＢ）は、１≦ｊ≦ｎとしてローカルネットワーク（ＨＤＥＮj）の順序付きリストを構築するように緊急性インデックス（ＥＩDENi）の昇順に前記ローカルネットワーク（ＤＥＮi）をランク付けし、前記順序付きリストの要素（ＨＤＥＮj）は、１≦ｊ≦ｎ−１に対してＥＩHDENj≦ＥＩHDENj+1であり、１≦ｉ≦ｎとしてＥＩHDENN＝Ｍａｘ（ＥＩDENi）であるような緊急性インデックス（ＥＩHDENj）を有する、付記３に記載のシステム。
＜付記５＞
前記ステーション（ＳＵＢ）は、前記期間Ｔkの間、エネルギーのレベル（ＣSUB）を供給するように制限されており、前記ステーション（ＳＵＢ）は、前記期間Ｔkの終わりに、前記ステーション（ＳＵＢ）が前記期間Ｔk+1の間に前記順序付きリストの最初のｊ＊個の要素（ＨＤＥＮj）に前記第２のモード（ＣＨＡＲＧＥ）を割り振った場合に前記ステーション（ＳＵＢ）が供給することになる累積のエネルギーの第１のレベルと、前記ステーション（ＳＵＢ）が前記期間Ｔk+1の間に前記順序付きリストの最初のｊ＊＋１個の要素（ＨＤＥＮj）に前記第２のモード（ＣＨＡＲＧＥ）を割り振るとした場合に前記ステーション（ＳＵＢ）が供給することになる累積のエネルギーの第２のレベルとの間にエネルギーの前記レベル（ＣSUB）が含まれるように臨界インデックス値ｊ＊を決定し、前記ステーション（ＳＵＢ）は、前記期間Ｔk+1のために、前記順序付きリストの最初のｊ＊個の要素（ＨＤＥＮj）の前記切替え装置（ＣＯＭHDENj）に前記第２のモード（ＣＨＡＲＧＥ）を割り振り、前記順序付きリストの最後のｎ−ｊ＊個の要素（ＨＤＥＮj）の前記切替え装置（ＣＯＭHDENj）に前記第１のモード（ＤＲＡＩＮ）を割り振る、付記４に記載のシステム。
＜付記６＞
各切替え装置（ＣＯＭDENi）は、前記期間Ｔkの終わりに、前記期間Ｔkの間に前記クライアントデバイス（ＤＣＬDENi）によって消費されたエネルギーの第２のレベル（ＣＰＬDENi,Tk）を前記ステーション（ＳＵＢ）に送信し、前記ステーション（ＳＵＢ）は、前記第１のレベル（ＣＳＬDENi,Tk）および前記第２のレベル（ＣＰＬDENi,Tk）を記憶するための手段を備え、前記期間Ｔkの終わりに、前の期間の間に蓄えられたエネルギーの第２のレベル（ＣＰＬDENi,Tk）から、前記期間Ｔk+1の間の前記クライアントデバイス（ＤＣＬDENi）のエネルギー消費（＜ＰＲＬDENi,Tk+1＞）を推定し、前記エネルギー消費（＜ＰＲＬDENi,Tk+1＞）から前記臨界インデックス値ｊ＊を決定する、付記５に記載のシステム。
＜付記７＞
前記ステーション（ＳＵＢ）は、前記期間Ｔkの間、エネルギーのレベル（ＣSUB）を供給するように制限されており、前記ステーション（ＳＵＢ）は、
−  前記期間Ｔk+1の始めに、前記ネットワーク（ＤＥＮi）のすべての前記切替え装置に前記第１のモード（ＤＲＡＩＮ）を割り振るための手段と、
−  前記ネットワーク（ＤＥＮi）の前記切替え装置に、対応するエネルギー貯蔵手段に蓄えられたエネルギーのレベルが最大になるまで前記第２のモード（ＣＨＡＲＧＥ）を割り振るための手段であって、前記割り振りは、前記順序リスト（ＨＤＥＮj）の順番で実行される、手段と
を備える、付記４に記載のシステム。
＜付記８＞
前記緊急性インデックス（ＥＩDENi）は、エネルギーの前記第１のレベル（ＣＳＬDENi,Tk）を代表する値を有すること、または前記緊急性インデックス（ＥＩDENi）は、マルコフ変調需要過程を仮定することによって決定される、前記期間Ｔk+1の間に前記エネルギー貯蔵手段（ＰＳＤDENi）のエネルギーの不足が起こる確率である、付記４から７のいずれか一項に記載のシステム。
＜付記９＞
前記供給システム（ＰＳＯ）は、事業者である、付記１から８のいずれか一項に記載のシステム。
＜付記１０＞
ｎ≧２および１≦ｉ≦ｎとしてｎ個のローカルエネルギーネットワーク（ＤＥＮi）へのエネルギー供給を管理するためのステーション（ＳＵＢ）であって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）と、各ネットワーク（ＤＥＮi）に接続された切替え装置（ＣＯＭDENi）と、前記切替え装置（ＣＯＭDENi）を介して前記ネットワーク（ＤＥＮi）に接続されたエネルギー貯蔵手段（ＰＳＤDENi）と、を備え、前記ステーション（ＳＵＢ）は、供給システム（ＰＳＯ）からエネルギーを受け取り、前記ネットワークに関連するデバイス（ＣＯＭDENi）を介して前記ｎ個のネットワーク（ＤＥＮi）にエネルギーを供給することができ、各切替え装置（ＣＯＭDENi）に対して、
−  前記エネルギー貯蔵手段（ＰＳＤDENi）が前記ネットワーク（ＤＥＮi）にエネルギーを供給する第１のモード（ＤＲＡＩＮ）、または
−  前記ステーション（ＳＵＢ）が前記ネットワーク（ＤＥＮi）および前記エネルギー貯蔵手段（ＰＳＤDENi）にエネルギーを同時に供給する第２のモード（ＣＨＡＲＧＥ）
を決定し、割り振るように構成される、前記ステーション（ＳＵＢ）。
＜付記１１＞
前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするための手段を備える、付記１０に記載のステーション（ＳＵＢ）。
＜付記１２＞
１≦ｋ≦ＫとしてＫ個の連続する期間Ｔkを考慮し、
−  前記期間Ｔkの終わりに前記エネルギー貯蔵手段（ＰＳＤDENi）に蓄えられたエネルギーの第１のレベル（ＣＳＬDENi,Tk）を前記期間Ｔkの終わりに受信するように構成された手段（Ｍ１）と、
−  前記第１のレベル（ＣＳＬDENi,Tk）を記憶するように構成された手段（Ｍ２）と、
−  各切替え装置（ＣＯＭDENi）に対して、
−  前記第１のモード（ＤＲＡＩＮ）、または
−  前記第２のモード（ＣＨＡＲＧＥ）
を決定し、割り振るように構成された手段（Ｍ３）と
を備える、付記１０または１１に記載のステーション（ＳＵＢ）。
＜付記１３＞
前記手段（Ｍ１）は、前記期間Ｔkの終わりに、前記期間Ｔkの間に前記クライアントデバイス（ＤＣＬDENi）によって消費されたエネルギーの第２のレベル（ＣＰＬDENi,Tk）を受信するようにさらに構成され、前記手段（Ｍ２）は、前記第２のレベル（ＣＰＬDENi,Tk）を記憶するようにさらに構成される、付記１２に記載のステーション（ＳＵＢ）。
＜付記１４＞
前記期間Ｔkの間、エネルギーのレベル（ＣSUB）を供給するように制限されており、前記手段（Ｍ３）は、
−  前記期間Ｔkの終わりに、期間Ｔk+1のために前記切替え装置（ＣＯＭDENi）に前記第２のモード（ＣＨＡＲＧＥ）を割り振る優先順位を定義する緊急性インデックス（ＥＩDENi）を決定するように構成された手段（Ｍ３．１）であって、前記緊急性インデックス（ＥＩDENi）は、前記ステーション（ＳＵＢ）に記憶された前記ネットワーク（ＤＥＮi）に関連する前記第１のレベル（ＣＳＬDEN1,Tk、．．．、ＣＳＬDENi,Tk、．．．、ＣＳＬDENn,Tk）から決定される、手段（Ｍ３．１）と、
−  前記期間Ｔkの終わりに、緊急性インデックス（ＥＩDENi）の昇順に前記ローカルネットワーク（ＤＥＮi）をランク付けし、１≦ｊ≦ｎとして前記ローカルネットワーク（ＨＤＥＮj）の順序付きリストを構築するように構成された手段（Ｍ３．２）であって、前記順序付きリストの要素（ＨＤＥＮj）は、１≦ｊ≦ｎ−１に対してＥＩHDENj≦ＥＩHDENj+1であり、ＥＩHDENN＝Ｍａｘ（ＥＩDENi）1≦i≦nであるような緊急性インデックス（ＥＩHDENj）を有する、手段（Ｍ３．２）と、
−  前記期間Ｔkの終わりに、前記期間Ｔk+1の前の期間の間に蓄えられたエネルギーの第１のレベル（ＣＰＬDENi,Tk）から、前記期間Ｔk+1の間の前記クライアントデバイス（ＤＣＬDENi）のエネルギー消費（＜ＰＲＬDENi,Tk+1＞）を推定するように構成された手段（Ｍ３．３）と
を備える、付記１２または１３に記載のステーション（ＳＵＢ）。
＜付記１５＞
前記手段（Ｍ３）は、
−  前記期間Ｔkの終わりに、前記期間Ｔk+1の間の前記クライアントデバイス（ＤＣＬDENi）のエネルギー消費（＜ＰＲＬDENi,Tk+1＞）の推定値から、前記ステーション（ＳＵＢ）が前記期間Ｔk+1の間に前記順序付きリスト（ＨＤＥＮj）の最初のｊ＊個のローカルネットワークに前記第２のモード（ＣＨＡＲＧＥ）を割り振るとした場合に前記ステーション（ＳＵＢ）が供給することになる累積のエネルギーの第１のレベルと、前記ステーション（ＳＵＢ）が前記期間Ｔk+1の間に前記順序付きリスト（ＨＤＥＮj）の最初のｊ＊＋１個のローカルネットワークに前記第２のモード（ＣＨＡＲＧＥ）を割り振るとした場合に前記ステーション（ＳＵＢ）が供給することになる累積のエネルギーの第２のレベルとの間にエネルギーの前記レベル（ＣSUB）が含まれるように臨界インデックス値ｊ＊を決定するように構成された手段（Ｍ３．４）と、
−  前記期間Ｔk+1の間、前記順序付きリスト（ＨＤＥＮj）の最初のｊ＊個のローカルネットワークの前記切替え装置に前記第２のモード（ＣＨＡＲＧＥ）を割り振り、前記順序付きリスト（ＨＤＥＮj）に現れる最後のｎ−ｊ＊個のローカルネットワークの前記切替え装置に前記第１のモード（ＤＲＡＩＮ）を割り振るように構成された手段（Ｍ３．５）と
をさらに備える、付記１４に記載のステーション（ＳＵＢ）。
＜付記１６＞
前記手段（Ｍ３）は、前記期間Ｔk+1の間、前記順序付きリスト（ＨＤＥＮj）の前記ローカルネットワークのすべての前記切替え装置に前記第１のモード（ＤＲＡＩＮ）を割り振るように構成された手段（Ｍ３．６）をさらに備え、前記手段（Ｍ３．６）は、前記順序付きリスト（ＨＤＥＮj）の順番で選択された第１のローカルネットワークの前記切替え装置に、前記ローカルネットワークの前記エネルギー貯蔵手段に蓄えられたエネルギーのレベルがエネルギーのレベルの閾値（ＰＬＬDENi）に達するまで一時的に前記第２のモード（ＣＨＡＲＧＥ）を割り振るようにさらに構成される、付記１５に記載のステーション（ＳＵＢ）。
＜付記１７＞
ｎ≧２および１≦ｉ≦ｎとしてｎ個のローカルエネルギーネットワーク（ＤＥＮi）へのエネルギー供給を管理するための方法であって、各ローカルエネルギーネットワーク（ＤＥＮi）は、前記ネットワーク（ＤＥＮi）を流れるエネルギーを消費することができる少なくとも１つのクライアントデバイス（ＤＣＬDENi）を含み、切替え装置（ＣＯＭDENi）が各ネットワーク（ＤＥＮi）に接続され、エネルギー貯蔵手段（ＰＳＤDENi）が前記切替え装置（ＣＯＭDENi）を介して前記ネットワーク（ＤＥＮi）に接続され、ステーション（ＳＵＢ）が、前記ネットワークに関連する切替え装置（ＣＯＭDENi）を介して前記ｎ個のネットワーク（ＤＥＮi）にエネルギーを供給することができ、供給システム（ＰＳＯ）から前記エネルギーを受け取り、前記方法は、前記ステーション（ＳＵＢ）によって実施されるステップであって、各切替え装置（ＣＯＭDENi）に対して、
−  前記エネルギー貯蔵手段（ＰＳＤDENi）が前記ネットワーク（ＤＥＮi）にエネルギーを供給する第１のモード（ＤＲＡＩＮ）、または
−  前記ステーション（ＳＵＢ）が前記ネットワーク（ＤＥＮi）および前記エネルギー貯蔵手段（ＰＳＤDENi）にエネルギーを同時に供給する第２のモード（ＣＨＡＲＧＥ）
を決定し、割り振るステップを含む、前記方法。
＜付記１８＞
前記ローカルネットワーク（ＤＥＮi）に接続された前記エネルギー貯蔵手段（ＰＳＤDENi）に蓄えられたエネルギーのレベルに基づいて、または前記貯蔵手段（ＰＳＤDENi）のレベルでエネルギーの不足が起こらない確率に基づいて、ローカルネットワーク（ＤＥＮi）をランク付けするステップを含む、付記１７に記載の方法。
＜付記１９＞
前記ステーション（ＳＵＢ）は、１≦ｋ≦ＫとしてＫ個の連続する期間Ｔkを考慮し、各切替え装置（ＣＯＭDENi）に対して、
−  前記第１のモード（ＤＲＡＩＮ）、または
−  前記第２のモード（ＣＨＡＲＧＥ）
を決定し、期間Ｔk+1の少なくとも一部分の間、割り振るように構成され、
前記方法は、前記ステーション（ＳＵＢ）のレベルで、前記期間Ｔkの終わりに、
−  各期間Ｔkの終わりに前記エネルギー貯蔵手段（ＰＳＤDENi）に蓄えられたエネルギーの第１のレベル（ＣＳＬDENi,Tk）をすべてのローカルネットワーク（ＤＥＮi）の前記切替え装置から受信し、記憶するステップ（Ｓ１）と、
−  前記期間Ｔk+1のために前記切替え装置（ＣＯＭDENi）に前記第２のモード（ＣＨＡＲＧＥ）を割り振る緊急性の順序を定義する緊急性インデックス（ＥＩDENi）を決定するステップ（Ｓ１０）であって、前記緊急性インデックス（ＥＩDENi）は、前記ネットワーク（ＤＥＮi）に関連する前記第１のレベル（ＣＳＬDEN1,Tk、．．．、ＣＳＬDENi,Tk、．．．、ＣＳＬDENn,Tk）から決定される、ステップ（Ｓ１０）と、
−  緊急性インデックス（ＥＩDENi）の昇順に前記ローカルネットワーク（ＤＥＮi）をランク付けし、１≦ｊ≦ｎとしてローカルネットワーク（ＨＤＥＮj）の順序付きリストを構成するステップ（Ｓ２０）であって、前記順序付きリストの前記ローカルネットワーク（ＨＤＥＮj）は、１≦ｊ≦ｎ−１に対してＥＩHDENj≦ＥＩHDENj+1であり、ＥＩHDENN＝Ｍａｘ（ＥＩDENi）1≦i≦nであるような緊急性インデックス（ＥＩHDENj）を有する、ステップ（Ｓ２０）と、
−  前記ローカルネットワーク（ＨＤＥＮj）が前記順序付きリスト内で占めているランクｊにしたがって選択された少なくとも１つの切替え装置に前記期間Ｔk+1のために前記第２のモード（ＣＨＡＲＧＥ）を割り振るステップ（Ｓ５０、Ｓ５１）と
を含む、付記１８に記載の方法。
＜付記２０＞
−  前記期間Ｔkの間に前記クライアントデバイス（ＤＣＬDENi）によって消費されたエネルギーの第２のレベル（ＣＰＬDENi,Tk）をすべての切替え装置（ＣＯＭDENi）から受信し、前記第２の受信されたレベル（ＣＰＬDENi,Tk）を記憶するステップ（Ｓ１）と、
−  記憶されたエネルギーの前記第１のレベル（ＣＰＬi,Tk）から、前記期間Ｔk+1の間の前記クライアントデバイス（ＤＣＬDENi）のエネルギー消費（＜ＰＲＬi,Tk+1＞）を推定するステップ（Ｓ３０）と、
−  前記期間Ｔkの終わりに、前記期間Ｔk+1の間の前記クライアントデバイス（ＤＣＬDENi）のエネルギー消費（＜ＰＲＬi,Tk+1＞）の推定値から、前記ステーション（ＳＵＢ）が前記期間Ｔk+1の間に前記順序付きリスト（ＨＤＥＮj）の最初のｊ＊個のローカルネットワークに前記第２のモード（ＣＨＡＲＧＥ）を割り振るとした場合に前記ステーション（ＳＵＢ）が供給することになる累積のエネルギーの第１のレベルと、前記ステーション（ＳＵＢ）が前記期間Ｔk+1の間に前記順序付きリスト（ＨＤＥＮj）の最初のｊ＊＋１個のローカルネットワークに前記第２のモード（ＣＨＡＲＧＥ）を割り振るとした場合に前記ステーション（ＳＵＢ）が供給することになる累積のエネルギーの第２のレベルとの間にエネルギーのレベル（ＣSUB）が含まれるように臨界インデックス値ｊ＊を決定するステップ（Ｓ４０）と、
−  前記期間Ｔk+1の間、前記順序付きリスト（ＨＤＥＮj）の最初のｊ＊個のローカルネットワークの前記切替え装置に前記第２のモード（ＣＨＡＲＧＥ）を割り振り、前記順序付きリスト（ＨＤＥＮj）の最後のｎ−ｊ＊個のローカルネットワークの前記切替え装置に前記第１のモード（ＤＲＡＩＮ）を割り振るステップ（Ｓ５０）と、
をさらに含む、付記１９に記載の方法。
＜付記２１＞
前記緊急性インデックス（ＥＩDENi）は、エネルギーの前記第１のレベル（ＣＳＬDENi）を代表する値を有すること、または前記緊急性インデックス（ＥＩDENi）は、マルコフ変調需要過程を仮定することによって決定される、前記期間Ｔk+1の間に前記エネルギー貯蔵手段（ＰＳＤDENi）でエネルギーの不足が起こらない確率である、付記１９または２０に記載の方法。
＜付記２２＞
ローカルエネルギーネットワーク（ＤＥＮi）を流れるエネルギーを消費することができる少なくとも１つのクライアントデバイス（ＤＣＬDENi）を含む前記ローカルエネルギーネットワーク（ＤＥＮi）に接続された切替え装置（ＣＯＭDENi）であって、前記切替え装置は、エネルギー貯蔵手段（ＰＳＤDENi）からエネルギーを前記ネットワークに供給するために、前記エネルギー貯蔵手段を前記ネットワークに接続し、前記切替え装置（ＣＯＭDENi）を介して前記ネットワーク（ＤＥＮi）にエネルギーを供給するためのステーション（ＳＵＢ）に前記エネルギー貯蔵手段を接続するための手段を備え、前記切替え装置（ＣＯＭDENi）は、
−  前記エネルギー貯蔵手段（ＰＳＤDENi）が前記ネットワーク（ＤＥＮi）にエネルギーを供給する第１のモード（ＤＲＡＩＮ）、または
−  前記ステーション（ＳＵＢ）が前記ネットワーク（ＤＥＮi）および前記エネルギー貯蔵手段（ＰＳＤDENi）にエネルギーを同時に供給する第２のモード（ＣＨＡＲＧＥ）
に応じて動作することができる、切替え装置（ＣＯＭDENi）。